(57)【要約】      （修正有）【課題】ロープを速やかに締めたり緩めたりすることができるロープ締め具を提供する。【解決手段】一つの本体３１を有し、前記本体は、中空状を呈し、その一端の内面には止めリングが設けてあり、その他端の外周面にはエンド蓋と螺合するための螺旋が設けてあり、前記本体の両端には二つの押圧素子３２をそれぞれ収容し、前記押圧素子は、その環状突起３２１が本体の内部に収容され、他端が本体の外部に伸び出し粘着剤によってエンドキャップ３２５と粘着して一体になり、押圧素子が本体から離脱しないように、押圧素子が本体の一端にある止めリングによって制限され、二つの押圧素子を外側へ付勢するために、二つの押圧素子の間には一つの弾性素子３３が設けてあり、前記本体とその両側にある押圧素子の半径方向には対称する貫通孔３１５が複数に設けてあり、前記貫通孔の内面には戻り止めが設けてある。【選択図】図１
0003109516.tif 000002
【実用新案登録請求の範囲】
【請求項１】
一つの本体を有し、前記本体は、中空状を呈し、その一端の内面には止めリングが設けてあり、その他端の外周面にはエンド蓋と螺合するための螺旋が設けてあり、前記本体の両端には二つの押圧素子をそれぞれ収容し、前記押圧素子は、その環状突起が本体の内部に収容され、他端が本体の外部に伸び出し粘着剤によってエンドキャップと粘着して一体になり、押圧素子が本体から離脱しないように、押圧素子が本体の一端にある止めリングによって制限され、二つの押圧素子を外側へ付勢するために、二つの押圧素子の間には一つの弾性素子が設けてあり、前記本体とその両側にある押圧素子の半径方向には対称する貫通孔が複数に設けてあり、前記貫通孔の内面には戻り止めが設けてあり、
前記本体の外周面には半径方向に沿って延びた一つの座体が設けてあり、前記座体の内部には収容空間が設けてあり、前記座体の前端面には長形孔が開設してあり、前記長形孔は一つの補強リブにより二つの貫通孔になり、一つのロープ挟み具が前記長形孔内に設置され、座体の収容空間が頂蓋によりカバーされ、
前記ロープ挟み具は、ややＭ字形を呈し、中空なものであり、弾性を有し、挟み溝は、挟み機能を有するために、両端の開口がより大きくて中央部がより小さい形状であり、断面が上部から底部までどんどん広くなる形状であり、ロープ挟み具の他端には、座体にある長形孔に自在に脱着するために、弾性アームが延在してあることを特徴とする、
ロープ締め具。
【請求項２】
前記押圧素子にある環状突起の表面には本体の摺動溝内に摺動する突起が設けてあり、前記突起により押圧素子が旋回できなくなることを特徴とする、請求項１に記載のロープ締め具。
【請求項３】
両端の前記押圧素子の間には、前記押圧素子と一体成形された弾性素子が設けてあることを特徴とする、請求項１に記載のロープ締め具。
【請求項４】
ロープ挟み具は本体と一体成形されてもいいことを特徴とする、請求項１に記載のロープ締め具。
【考案の詳細な説明】
【技術分野】
【０００１】
本考案はロープ締め具に関するものである。
【背景技術】
【０００２】
図１２に示すのは、従来の靴ロープを締める方式であり、靴ロープを締める作業が極めて不便である。
【０００３】
図１３に示すのは、従来のロープ締め具１であり、それは一つの殻体１１を有し、前記殻体１１の内部には一つのバネ１２が収容してあり、押圧素子１３が殻体１１内に強制的に押し込まれ、殻体１１内の止めリング１１１により押圧素子１３が離脱できなくなり、前記殻体１１と押圧素子１３との半径方向には貫通孔１１２，１３１が開設してあり、押圧素子１３を押圧すると、二つの貫通孔１１２，１３１が適時に合う又は離れる状態になり、前記貫通孔１１２，１３１が合う状態になるときには靴ロープ２を挿入することができ、なお、前記貫通孔１１２，１３１が離れる状態になるときには靴ロープ２を挟むことができ、押圧素子１３に力を加えて前記貫通孔１１２，１３１が合う状態になるときには、ロープ締め具１が靴ロープ２に沿って速やかに移動することができ、靴ロープ２を締めたり緩めたりすることができる。
【考案の開示】
【考案が解決しようとする課題】
【０００４】
しかしながら、従来のロープ締め具１によれば、靴ロープ２を速やかに締めたり緩めたりすることができるが、挟む力が不足していることはロープ締め具１の欠点であるので、従来のロープ締め具１は普及しておらず、且つ２本の靴ロープ２が一つの貫通孔内に挿入され、２本の靴ロープ２がバネ１２の弾力によって挟まれ、バネ１２の挟む力が不足しているので、ロープ締め具１は摺動し易く、歩いているときには特にひどかった。
【課題を解決するための手段】
【０００５】
上記欠点を解決するためになされた本願の考案は、一つの本体を有し、前記本体は、中空状を呈し、その一端の内面には止めリングが設けてあり、その他端の外周面にはエンド蓋と螺合するための螺旋が設けてあり、前記本体の両端には二つの押圧素子をそれぞれ収容し、前記押圧素子は、その環状突起が本体の内部に収容され、他端が本体の外部に伸び出し粘着剤によってエンドキャップと粘着して一体になり、押圧素子が本体から離脱しないように、押圧素子が本体の一端にある止めリングによって制限され、二つの押圧素子を外側へ付勢するために、二つの押圧素子の間には一つの弾性素子が設けてあり、前記本体とその両側にある押圧素子の半径方向には対称する貫通孔が複数に設けてあり、前記貫通孔の内面には戻り止めが設けてあり、座体の収容空間が頂蓋によりカバーされ、前記本体の外周面には半径方向に沿って延びた一つの座体が設けてあり、前記座体の内部には収容空間が設けてあり、前記座体の前端面には長形孔が開設してあり、前記長形孔は一つの補強リブにより二つの貫通孔になり、一つのロープ挟み具が前記長形孔内に設置され、前記ロープ挟み具は、ややＭ字形を呈し、中空なものであり、弾性を有し、挟み溝は、挟み機能を有するために、両端の開口がより大きくて中央部がより小さい形状であり、断面が上部から底部までどんどん広くなる形状であり、ロープ挟み具の他端には、座体にある長形孔に自在に脱着するために、弾性アームが延在してあることを特徴とするロープ締め具であることを要旨としている。
【０００６】
本願の考案では、前記押圧素子にある環状突起の表面には本体の摺動溝内に摺動する突起が設けてあり、前記突起により押圧素子が旋回できなくなることを特徴とする請求項１に記載のロープ締め具であることを要旨としている。
【０００７】
本願の考案では、両端の前記押圧素子の間には、前記押圧素子と一体成形された弾性素子が設けてあることを特徴とする請求項１に記載のロープ締め具であることを要旨としている。
【０００８】
本願の考案では、ロープ挟み具は本体と一体成形されてもいいことを特徴とする請求項１に記載のロープ締め具であることを要旨としている。
【考案の効果】
【０００９】
本考案に係るロープ締め具によれば、次のような効果がある。
（イ）ロープ締め具には貫通孔が二つあり、ロープがそれぞれ挟まれ、挟む効果が向上する。
【００１０】
（ロ）ロープ挟み具により、ロープの末端が挟まれる。
【００１１】
（ハ）ロープを速やかに締めたり緩めたりすることができる。
【００１２】
（二）押圧素子の摺動が制限されるので、旋回することができない。
【００１３】
（ホ）座体には補強リブが設けてあるので、座体の強度が向上する。
【考案を実施するための最良の形態】
【００１４】
以下、添付図面を参照して本考案の好適な実施の形態を詳細に説明する。
【００１５】
まず、図１と図２に示すのは、本考案に係るロープ締め具であり、それは一つの本体３１を有し、前記本体３１は、中空状を呈し、その一端の内面には押圧素子３２の摺動を制限するための止めリング３１１が設けてあり、その他端の外周面にはエンド蓋３１３と螺合するための螺旋３１２が設けてあり（右側の押圧素子３２を取付けた後に螺合し）、前記本体３１の両端には二つの押圧素子３２をそれぞれ収容し、前記押圧素子３２は、その環状突起３２１が本体の内部に収容され、他端が本体の外部に伸び出し粘着剤によってエンドキャップ３２５と粘着して一体になり、押圧素子３２の環状突起３２１の表面には本体３１にある摺動溝３１４内に摺動する突起３２２が設けてあり、これにより、押圧素子３２が旋回できなくなり、押圧素子３２が本体３１から離脱しないように、押圧素子３２が本体３１の一端にある止めリング３１１によって制限され、二つの押圧素子３２を外側へ付勢するために、二つの押圧素子３２の間には一つの弾性素子３３が設けてあり、前記本体３１とその両側にある押圧素子３２の半径方向には対称する貫通孔３１５，３２３が複数に設けてあり、前記貫通孔３１５の内面には戻り止め３１６が設けてある。
【００１６】
前記本体３１の外周面には半径方向に沿って延びた一つの座体３４が設けてあり、前記座体３４の内部には収容空間３４１が設けてあり、前記座体３４の前端面には長形孔３４２が開設してあり、前記長形孔３４２は一つの補強リブ３４３により二つの貫通孔になり、一つのロープ挟み具３５が前記長形孔内に設置され、座体３４の収容空間３４１が頂蓋３４４によりカバーされる。
【００１７】
前記ロープ挟み具３５は、ややＭ字形を呈し、中空なものであり、弾性を有し、挟み溝３５１は、挟み機能を有するために、両端の開口がより大きくて中央部がより小さい形状であり、断面が上部から底部までどんどん広くなる形状であり、ロープ挟み具３５の他端には、座体３４にある長形孔３４２に自在に脱着するために、弾性アーム３５２が延在してある。
【００１８】
また、図１乃至図４を参照する。本考案に係るロープ締め具３は、左右側には貫通孔３１５が開設してあり、二つの押圧素子３２を内部へ押圧し摺動させることにより、貫通孔３１５と貫通孔３２３が合う状態になり、このとき、２本の靴ロープ２が貫通孔３１５内にそれぞれ挿入でき、使用者は一つの手で押圧素子３２を押圧して保持することにより、貫通孔３１５と貫通孔３２３を合う状態に保持し、他の手は靴ロープ２を引くことができ、押圧素子３２を放したときには、押圧素子３２が弾性素子３３に付勢されて、貫通孔３１５と貫通孔３２３が離れる状態になり、靴ロープ２が挟まれた状態になる。
【００１９】
２本の靴ロープ２が単独に挟まれ、従来のように２本の靴ロープ２が一つの貫通孔を挿入することを改善したので、挟み効果が向上し、また、本考案に係る貫通孔３１５の内周面には戻り止め３１６が設けてあり、前記戻り止め３１６により靴ロープ２との摩擦抵抗が向上し、これにより、靴ロープ２が完全に締められ摺動できなくなる。
【００２０】
また、図５と図８を参照する。靴ロープ２をしっかりと締めた後には、靴ロープ２の余分な部分はロープ挟み具３５により固定してもよく、且つ靴ロープ２がロープ挟み具３５に挟まれるときには、挟まれた長さ及び仕様が任意に変更できる。
【００２１】
また、図３乃至図６を参照する。本考案に係るロープ締め具３は、二つの押圧素子３２によりロープ締め具３の位置を調整できるので、靴ロープ２の弛緩度を調整できる。
【００２２】
また、図６に示すのは、靴ロープ２が緊迫な状態であり、且つロープ締め具３が靴面４に近接するので、使用者は靴ロープ２を緩めようとするときには、まず、図７に示すように、ロープ挟み具３５を座体３４から引き出して、適当な力で両側の押圧素子３２を押圧することにより、貫通孔３１５と貫通孔３２３を合う状態に保持して、ロープ締め具３が自在状態になり、靴ロープ２の末端にロープ締め具３を速やかに摺動すると、靴ロープ２が弛緩状態になり、このとき、使用者は靴面４を外側へ引いて靴を脱ぐことができる。
【００２３】
また、図８を参照する。靴ロープ２を緊迫にしようとするときには、使用者が靴を履いて靴面４のロープを緊迫にした後、靴面４にロープ締め具３を速やかに靴ロープ２に沿って摺動すると、靴ロープ２が緊迫状態になり、図６に示すように、且つ座体３４にある長形孔３４２にロープ挟み具３５を嵌め込むと、操作が完成した。だから、操作が極めて快速で簡単であり、年寄りや子供にも容易に使用することができる。
【００２４】
また、図１と図２を参照する。押圧素子３２の半径方向には貫通孔３２３が開設してあり、その主な目的は、本体３１にある貫通孔３１５と合う状態にすることにより、靴ロープ２が容易に挿入でき且つロープ締め具３が速やかに摺動でき、なお、押圧素子３２の環状突起３２１の表面には本体３１にある摺動溝３１４内に摺動する突起３２２が設けてあり、これにより、押圧素子３２が旋回できなくなり、押圧素子３２が往復に摺動することだけが可能であり、これにより、貫通孔３２３と貫通孔３１５の位置合わせが速やかになり、操作が容易で速やかになる。
【００２５】
また、図と図２を参照する。前記座体３４にある収容空間３４１内の前端面には長形孔３４２が開設してあり、前記長形孔３４２は一つの補強リブ３４３により二つの貫通孔になり、一つのロープ挟み具３５を前記長形孔３４２内に設置することができ、ロープ挟み具３５の長形孔３４２への脱着が長形孔３４２の強度を影響し、長形孔３４２の上下の座体の厚さが厚くないので、脱着回数が多いほど、長形孔３４２に割れが発生する可能性が高い。本考案は補強リブの設計により、長形孔３４２の強度を向上し、正常の操作では割れが発生しないので、使用寿命が向上する。
【００２６】
また、図９を参照する。両端の押圧素子３２の間には、前記押圧素子５２と一体成形された弾性素子５３が設けてあることにより、三つの部品が一つになり、射出成形により一体成形することができ、部品の点数が低減でき、且つ組合作業も速やかになる。
【００２７】
また、図１と図２を参照する。本考案では、本体３１にある貫通孔３１５の内周面には戻り止め３１６が設けてあり、前記戻り止め３１６により靴ロープ２との摩擦抵抗が向上し、さらに押圧素子３２にある貫通孔３２３の内周面にも戻り止めが設けてあることにより、挟み効果が向上し、また、図１０に示すのは、押圧素子４２にある貫通孔４２１の内周面の一端には戻り止め４２２が設けてあり、前記戻り止め４２２が本体３１にある貫通孔３１５に設けた戻り止め３１６と対応して、靴ロープ２の挟み効果を向上することができ、特に運動量が多い場合には、靴ロープ２の挟む力がもっと重要になり、また、図１１を参照して、貫通孔４２１にある戻り止め４２２は、孔の一面に設けてよく、孔の他面に設けてもよく、そうすると、両面には戻り止め４２２，４２３が同時に設けられたので、靴ロープ２の挟み効果が向上する。
【００２８】
また、図１２を参照する。本考案に係るロープ挟み具３５は、自在な嵌め接合方式を採用してもいいし、本体３１と一体成形されてもよく、そうすると、使用者はロープ挟み具３５を取り外すことないで、靴ロープ２を速やかに締めたり緩めたりすることができる。
【図面の簡単な説明】
【００２９】
【図１】本考案の分解斜視図である。
【図２】本考案の組合状態の断面図である。
【図３】本考案に係るロープ締め具に靴ロープを挿入する前の状態を示す断面図である。
【図４】本考案に係るロープ締め具に靴ロープを挿入する動作を示す断面図である。
【図５】本考案に係るロープ締め具に靴ロープを挿入した後の状態を示す斜視図である。
【図６】本考案に係るロープ締め具によって靴ロープを締めた状態を示す斜視図である。
【図７】本考案に係る弾性素子をロープ締め具から取り出す動作を示す断面図である。
【図８】靴ロープを上へ引いている状態を示す斜視図である。
【図９】本考案に係る押圧素子と弾性素子とが一体成形された実施例を示す概略図である。
【図１０】本考案に係る押圧素子のある貫通孔の内面の一端には戻り止めが設けた実施例を示す斜視図である。
【図１１】本考案に係る押圧素子のある貫通孔の内面の両端には戻り止めが設けた実施例を示す斜視図である。
【図１２】本考案に係るロープ挟み具と本体とが一体成形された実施例を示す概略図である。
【図１３】手で靴ロープを締めた状態を示す斜視図である。
【図１４】従来のロープ締め具の組合状態を示す断面図である。
【符号の説明】
【００３０】
（従来の部分）
１        ロープ締め具              １２      バネ
１３      押圧素子                  １１１    止めリング
１１２，１３１      貫通孔          ２        靴ロープ
（本考案の部分）
３        ロープ締め具              ３１      本体
３１１    止めリング                ３３      弾性素子
３１２    螺旋                      ３１３    エンド蓋
３１４    摺動溝                    ３１５    貫通孔
３１６    戻り止め                  ３２      押圧素子
３２１    環状突起                  ３２２    突起
３２３    貫通孔                    ３２５    エンドキャップ
３４      座体                      ３４１    収容空間
３４２    長形孔                    ３４３    補強リブ
３４４    頂蓋                      ３５      ロープ挟み具
３５１    挟み溝                    ３５２    弾性アーム
４２      押圧素子                  ４２１    貫通孔
４２２，４２３      戻り止め
【図１】
0003109516.tif 000003
【図２】
0003109516.tif 000004
【図３】
0003109516.tif 000005
【図４】
0003109516.tif 000006
【図５】
0003109516.tif 000007
【図６】
0003109516.tif 000008
【図７】
0003109516.tif 000009
【図８】
0003109516.tif 000010
【図９】
0003109516.tif 000011
【図１０】
0003109516.tif 000012
【図１１】
0003109516.tif 000013
【図１２】
0003109516.tif 000014
【図１３】
0003109516.tif 000015
【図１４】
0003109516.tif 000016